(57)【要約】【課題】製造が簡単で種々のナットを使用できるパイプ接続具を提供する。【解決手段】接続具１はパイプ形状の本体１０とナット押え１５及びナット３０とを備え、ボルト孔１１からボルトが貫入する。ナット３０を保持するナット孔１６はボルト孔１１に対応する位置に形成されており、このナット孔１６にナット３０を圧入してナット３０を保持する。かしめ孔１７はかしめ片１２に対応する位置に形成されており、かしめ片１２がかしめ孔１７を通って折り曲げられ、ナット押え１５を本体１０に固定するように構成されている。【選択図】　図１
2004116201.tif 000002
【特許請求の範囲】
【請求項１】
接続対象であるパイプ内に挿入されるパイプの接続具であって、
接続対象であるパイプ内に挿入され、該パイプに設けられたボルト孔に連通するボルト孔を有する本体と、
該本体に設けられたかしめ片と、
前記かしめ片が貫通するかしめ孔を有し、該かしめ孔を通して前記かしめ片により前記本体に固定され、また前記ボルト孔に連通する孔を備えるナット押さえと、
前記ナット押さえの前記孔に連通する位置において該ナット押さえに固定されたナットと、
を備えたことを特徴とするパイプの接続具。
【請求項２】
前記本体がパイプ体であり、該パイプ体の外周側から前記かしめ片によるかしめが可能である、
請求項１に記載のパイプの接続具。
【請求項３】
前記ナットが前記ナット押さえの孔に圧入により固定されている、
請求項１に記載のパイプの接続具。
【発明の詳細な説明】
【０００１】
【発明の属する技術分野】
この発明は、パイプの接続具に関する。
【０００２】
【従来の技術】
歩道や屋外の階段等に設けられる手摺りは、金属製のパイプが主として用いられている。手摺りを作成するには、パイプを支柱に連結する必要があり、通常はパイプ内部にナット等を有する接続具を設け、外部からボルトにより締結している。或いはパイプどうしを連結する場合も同様にパイプ内部に接続具を設けてボルトにより連結している。
【０００３】
【発明が解決しようとする課題】
しかし、従来の接続具はナット等を予め溶接等により固定するか、或いは接続具自体にメネジを形成しており、製造が面倒な上、ナット部分の変更が難しく、更に市販のナットを使用できないなど種々の問題があった。特に締結力を増すためにフリクションリングを設けたナットなどが近年普及しており、このようなナットを使用するのが難しい問題があった。
本発明は上記従来技術の問題を解決することを目的とする。
【０００４】
【課題を解決するための手段】
上記目的を達成するために、本発明のパイプの接続具は、接続対象であるパイプ内に挿入されるパイプの接続具であって、接続対象であるパイプ内に挿入され、該パイプに設けられたボルト孔に連通するボルト孔を有する本体と、該本体に設けられたかしめ片と、前記かしめ片が貫通するかしめ孔を有し、該かしめ孔を通して前記かしめ片により前記本体に固定され、また前記ボルト孔に連通する孔を備えるナット押さえと、前記ナット押さえの前記孔に連通する位置において該ナット押さえに固定されたナットと、を備えたことを特徴とする。
以上の構成において、ナットは本体とは別体のものとして、ナット押さえに固定されているため、種々のナットを使用することができ、用途に合わせた多種類のナットを有する接続具を製造できる。また、かしめ片によるかしめによりナット押さえを本体に締結しているため、製造が容易である。
前記本体は好適にはパイプ体であり、該パイプ体の外周側から前記かしめ片によるかしめが可能であるように構成することにより、パイプ体であっても製造が容易である。更に前記ナットが前記ナット押さえの孔に圧入により固定するのが製造上好ましい。
【０００５】
【発明の実施の形態】
以下本発明の実施の形態を図面に基づいて説明する。
図１において、接続具１はパイプ形状の本体１０とナット押え１５及びナット３０とを備えている。本体１０にはボルト孔１１、１１が設けられており、ここからボルトが貫入するように構成されている。
また本体１０はかしめ片１２、１２を備えており、ナット押え１５の固定に用いるようになっている。このかしめ片１２、１２は本体１０の一部を切り欠いて、内部側に曲げることによりナット押え１５を固定するようになっている。そのため、本体１０がパイプ形状でありながら、本体１０の外側から簡単にナット押え１５を固定することが可能である。
【０００６】
ナット押え１５はパイプ状の本体１０の内壁に倣った円弧面を有する長片であり、ナット３０、３０を保持するナット孔１６、１６とかしめ孔１７、１７とを備えている。
ナット孔１６はボルト孔１１に対応する位置に形成されており、この実施形態ではこのナット孔１６にナット３０を圧入してナット３０を保持するようになっている。この実施形態ではナット３０として、フリクションリングを備えたものを採用しており、ゆるみのない締結を可能にしている。
かしめ孔１７はかしめ片１２に対応する位置に形成されており、かしめ片１２がかしめ孔１７を通って折り曲げられ、ナット押え１５を本体１０に固定するように構成されている。
【０００７】
以上の構成の接続具１において、ナット３０はナット孔１６に圧入してあるだけであるから、ナット３０として種々のものを採用でき、用途に応じて様々なナット３０を装着できる。また、ナット３０の装着が簡単で、ナット３０の種類の変更なども簡単に行える利点がある。
また、ナット押え１５は本体１０の外側からかしめ片１２を折り曲げるだけで固定できるから、簡単に固定可能である。
【０００８】
図２乃至図４により接続具１を手摺りパイプ５０を支柱６０に接続する際に用いた実施形態を説明する。図２では２本の手摺りパイプ５０、５０を接続する場合を示しているが、１本の手摺りパイプ５０を接続する場合にも云うまでもなく使用可能である。
【０００９】
接続具１は、手摺りパイプ５０の内径と略同じ外径を有し、手摺りパイプ５０内部に嵌装するようになっている。接続具１はまた、支持金具２とほぼ同じ長さを有している。接続具１は手摺りパイプ５０、５０の２つの端部の両方にまたがるように嵌装され、支持金具２と締結されることにより手摺りパイプ５０、５０の２つの端部を手摺りパイプ５０、５０の内部と外部とから連結するように構成されている。
【００１０】
手摺りパイプ５０、５０にもナット３０、３０に対応する位置にボルト４、４を貫通するためのボルト用孔５１、５１が形成されている。ボルト４、４は図２及び図３に示すように、支持金具２の下側から長孔２２とボルト用孔５１を貫通して手摺りパイプ５０内部の接続具１のナット３０に螺合して支持金具２と手摺りパイプ５０、５０を締結するようになっている。
なお、４０はステンレス製の継ぎ目カバーである。
【００１１】
支持金具２は図３に示すように手摺りパイプ５０の外形にほぼ倣う円弧状の円弧受け部２０と支持部２１とから構成されており、該円弧受け部２０に手摺りパイプ５０、５０の２つの端部を載置して、下側から支持するように構成されている。
【００１２】
支持金具２は図４に示すように支柱６０の頂部に装着された連結部６１に支持部２１を介して固定されるようになっている。また、円弧受け部２０には２つの長孔２２が設けられており、この長孔２２からボルト４を手摺りパイプ５０内部に貫通させて固定するようになっている。
【００１３】
以上の接続構造において、手摺りパイプ５０、５０の内部に接続具１を挿入し、ナット３０、３０の位置をボルト用孔５１、５１の位置に合わせて円弧受け部２０上に載置し、長孔２２、２２からボルト４、４を挿入して、ナット３０、３０に螺合することにより、円弧受け部２０と接続具１で２つの手摺りパイプ５０、５０を保持することができる。
【００１４】
【発明の効果】
以上説明したように本発明のパイプ接続具によれば、目的に応じて種々のナットを使用でき、種類の変更も簡単に行える効果がある。
【図面の簡単な説明】
【図１】本発明の一実施形態を示す正断面図。
【図２】本発明の一実施形態を用いた接続構造を示す正断面図。
【図３】本発明の一実施形態を用いた接続構造を示す側断面図。
【図４】本発明の一実施形態を用いた接続構造を示す正面図。
【符号の説明】
１：接続具、２：支持金具、４：ボルト、１０：本体、１１：ボルト孔、１２：かしめ片、１５：ナット押え、１６：ナット孔、１７：かしめ孔、２０：円弧受け部、２１：支持部、２２：長孔、３０：ナット、４０：継ぎ目カバー、５０：手摺りパイプ、５１：ボルト用孔、６０：支柱、６１：連結部。
【図１】
2004116201.tif 000003
【図２】
2004116201.tif 000004
【図３】
2004116201.tif 000005
【図４】
2004116201.tif 000006